(57)【要約】【課題】旋回半径が制限された建設機械の規格に対応した旋回体を備えた建設機械であって、その旋回体に設けられるカウンタウェイトの重量を効率よく増やすことができ、かつ、カウンタウェイトの製造誤差により旋回体の美観を損なうということが生じにくい建設機械の提供。【解決手段】後方小旋回建設機械の規格等における旋回半径の制限に対応するために、カウンタウェイト６の背面部７の平面視形状を、旋回中心を中心とする円弧状に形成し、カウンタウェイト６の左右方向の幅寸法は機械室３の左右方向の幅寸法とほぼ等しく設定する。また、カウンタウェイト６の前面部８の中央部８ａを原動機５の外郭を大まかに模った形状に形成する。さらにカウンタウェイト６の上面部９を機械室３の上面４よりも上方に突出するように形成する。【選択図】図３
2008179970.tif 000002
【特許請求の範囲】
【請求項１】
旋回体を備え、この旋回体に、原動機などの機器を収容する機械室と、この機械室の後方で前記旋回体の後端部を形成するカウンタウェイトとが設けられた建設機械において、
前記カウンタウェイトは、
前記旋回体の後端部を形成し、前記旋回体の所定の旋回半径を規定する背面部と、
前記機械室の内壁面の一部を形成する前面部と、
前記機械室の上面よりも上方に突出する上面部とを有することを特徴とする建設機械。
【請求項２】
請求項１記載の発明において、
前記カウンタウェイトの前記背面部の平面視形状は円弧状に形成され、前記カウンタウェイトの左右方向の幅寸法は前記機械室の幅寸法とほぼ等しく設定されることを特徴とする建設機械。
【請求項３】
請求項１または２記載の発明において、
前記カウンタウェイトの前記前面部の平面視形状は凹状に形成され、前記カウンタウェイトの前記前面部は前記機械室の内壁面の後部全体および側部の一部を形成することを特徴とする建設機械。
【発明の詳細な説明】
【技術分野】
【０００１】
本発明は、後方小旋回型建設機械等の旋回半径が制限された建設機械の規格に対応した旋回体を備え、この旋回体に、原動機などの機器を収容する機械室と、この機械室の後方で旋回体の後端部を形成するカウンタウェイトとが設けられた建設機械に関する。
【背景技術】
【０００２】
従来の建設機械としては、特許文献１に示されているものがある。この従来の建設機械の旋回体に設けられたカウンタウェイトでは、その背面部の平面視形状が、後方小旋回の旋回半径の規格に対応するために円弧状に形成されている。また、そのカウンタウェイトの左右両側部は、必要な重量の確保のために前方に突出している。
【特許文献１】特開２００３−３３６２８４公報
【発明の開示】
【発明が解決しようとする課題】
【０００３】
ところで、カウンタウェイトの重量はカウンタウェイトの重心が後方にあるほど小さく済む。前述した従来の建設機械のカウンタウェイトでは、左右両側部が前方に突出した構造によって重量を増やしているため、重心が前方にずれてしまい増やした重量を効率良く生かせない。
【０００４】
カウンタウェイトは鋳造により成形されるため、前述した従来のカウンタウェイトのように側部が前方に突出していると、その側部に形状の歪みが生じやすい。その形状の歪みは、機械室を形成するカバーとの間に位置ずれを生じさせ、旋回体の美観を損なわせる。
【０００５】
本発明は、前述の実状を考慮してなされたもので、その目的は、旋回半径が制限された建設機械の規格に対応した旋回体を備えた建設機械であって、その旋回体に設けられるカウンタウェイトの重量を効率よく増やすことができ、かつ、カウンタウェイトの製造誤差により旋回体の美観を損なうということが生じにくい建設機械を提供することにある。
【課題を解決するための手段】
【０００６】
〔１〕  前述の目的を達成するために、本発明は、旋回体を備え、この旋回体に、原動機などの機器を収容する機械室と、この機械室の後方で前記旋回体の後端部を形成するカウンタウェイトとが設けられた建設機械において、前記カウンタウェイトは、前記旋回体の後端部を形成し、前記旋回体の所定の旋回半径を規定する背面部と、前記機械室の内壁面の一部を形成する前面部と、前記機械室の上面よりも上方に突出する上面部とを有することを特徴とする。
【０００７】
このように構成された本発明によれば、カウンタウェイトの上面を機械室よりも上方に突出させた分だけ、カウンタウェイトの質量を増やすことができる。また、カウンタウェイトの側部を前方に突出させる必要がないので、カウンタウェイトの重心が前方にずれることがなく、鋳造によるカウンタウェイトに形状の歪みが生じにくい。これらのことから、本発明によれば、旋回半径が制限された建設機械の規格に対応した旋回体を備えた建設機械であって、カウンタウェイトの重量を効率よく増やすことができ、かつ、カウンタウェイトの製造誤差により旋回体の美観を損なうということが生じにくい建設機械を実現できる。
【０００８】
〔２〕  本発明は「〔１〕」記載の発明において、前記カウンタウェイトの前記背面部の平面視形状が円弧状に形成され、前記カウンタウェイトの左右方向の幅寸法が前記機械室の幅寸法とほぼ等しく設定されるものであってもよい。
【０００９】
〔３〕  本発明は「〔１〕」または「〔２〕」記載の発明において、前記カウンタウェイトの前記前面部の平面視形状が凹状に形成され、前記カウンタウェイトの前記前面部は前記機械室の内壁面の後部全体および側部の一部を形成するものであってもよい。
【発明の効果】
【００１０】
本発明によれば、前述したように、旋回半径が制限された建設機械の規格に対応した旋回体を備えた建設機械であって、カウンタウェイトの重量を効率よく増やすことができ、かつ、カウンタウェイトの製造誤差により旋回体の美観を損なうということが生じにくい建設機械を実現できる。
【発明を実施するための最良の形態】
【００１１】
本発明の建設機械の一実施形態について図を用いて説明する。
【００１２】
図１は本発明の建設機械の一実施形態に備えられる旋回体を示す左側面図である。図２は図１に示された旋回体の右側面図である。図３は図１に示された旋回体の平面図である。図４は図２に示されたカウンタウェイトと機械室との位置関係を示す図である。図５は図３のカウンタウェイトの上面部と機械室の上面との段差を示す拡大図である。
【００１３】
図１に示す旋回体１は、後方小旋回型建設機械、例えば後方小旋回型パワーショベルに備えられるものである。この旋回体１は、運転室２と、この運転室２の後方に設けられ、原動機５（図３の破線部および図４参照）や油圧機器（図示しない）が格納された機械室３と、この機械室３の後方で、旋回体１の後端部を形成するカウンタウェイト６（図４参照）とが設けられている。
【００１４】
後方小旋回型建設機械では、旋回体の旋回中心よりも後方の部分の旋回半径が走行体の横幅寸法の１／２の１．２倍以内に制限されている。このため、カウンタウェイト６の背面部７は、旋回体１の旋回中心よりも後方の部分の旋回半径を前記制限に対応するように規定する寸法・形状に設定されている。例えば、背面部７の平面視形状は旋回体１の旋回中心を中心とする円弧状に形成されていて、その円弧の半径は走行体の横幅寸法の１／２の１．２倍より短く設定されている。また、カウンタウェイト６の左右方向の幅寸法は機械室３の左右方向の幅寸法とほぼ等しく設定されている。
【００１５】
図４における１２は、旋回体１の骨組みを形成する旋回フレームのセンタビームである。このセンタビーム１２は前後方向に延び、左右方向に並列して１対設けられている。カウンタウェイト６には、その１対のセンタビーム１２のそれぞれに、上方から嵌め込まれる１対の取付溝１１が形成されている。カウンタウェイト６は、１対の取付溝１１のそれぞれが１対のセンタビーム１２のそれぞれに嵌め込まれた状態で１対のセンタビーム１２に載置されていて、１対のセンタビーム１２のそれぞれにボルト１４により締結されている。また、カウンタウェイト６の下面部１０は、センタビーム１２の下面１３よりも下方に突出している。
【００１６】
カウンタウェイト６の前面部８の平面視形状は凹状に形成されていて、前面部８は機械室３の内壁面の後部全体および左右両側部のそれぞれの一部を形成している。また、前面部８の中央部８ａ、すなわち前記凹状の底に相当する部分は、機械室３に格納された機器、例えば原動機５に対向していて、この原動機５の外郭を大まかに模った形状に形成されている。
【００１７】
カウンタウェイト６の上面部９は、図４，５に示すように、機械室３の上面４よりも上方に突出するよう形成されている。
【００１８】
本実施形態によれば次の効果を得られる。
【００１９】
本実施形態によれば、カウンタウェイト６の上面部９を機械室３の上面４よりも上方に突出させた分だけ、カウンタウェイト６の重量を増やすことができる。また、カウンタウェイト６の側部を前方に突出させる必要がないので、カウンタウェイト６の重心が前方にずれることがなく、鋳造によるカウンタウェイト６に形状の歪みが生じにくい。これらのことから、カウンタウェイトの重量を効率よく増やすことができ、製造誤差により旋回体の美観を損なうということが生じにくい後方小旋回型パワーショベルを実現できる。
【００２０】
本実施形態によれば、カウンタウェイト６の下面部１０をセンタビーム１２の下面１３よりも下方に突出させた分だけ、カウンタウェイト６の重量を増やすことができ、この点でも、カウンタウェイトの重量を効率よく増やすことができる。
【００２１】
本実施形態によれば、カウンタウェイト６の前面部８の中央部８ａが原動機５の外郭を大まかに模った形状に形成されているので、前面部の中央部が平面に形成されている場合よりもカウンタウェイトの重量を増やすことができる。
【００２２】
本実施形態は、カウンタウェイト６の上面部９と機械室３の上面４との間に段差があるので、カウンタウェイトの上面部と機械室の上面とを同一平面上に揃えるための位置合わせ作業が不要である。つまり、カウンタウェイトの上面部と機械室の上面とが同一平面上に配置される建設機械と比較して、組立が容易である。
【図面の簡単な説明】
【００２３】
【図１】図１は本発明の建設機械に備えられる旋回体の一例を示す左側面図である。
【図２】図１に示された旋回体の右側面図である。
【図３】図１に示された旋回体の平面図である。
【図４】図２に示されたカウンタウェイトと機械室との位置関係を示す図である。
【図５】図３のカウンタウェイトの上面部と機械室の上面との段差を示す拡大図である。
【符号の説明】
【００２４】
１  旋回体
２  運転室
３  機械室
４  上面
５  原動機
６  カウンタウェイト
７  背面部
８  前面部
８ａ  中央部
９  上面部
１０  下面部
１１  取付溝
１２  センタビーム
１３  下面
１４  ボルト
【図１】
2008179970.tif 000003
【図２】
2008179970.tif 000004
【図３】
2008179970.tif 000005
【図４】
2008179970.tif 000006
【図５】
2008179970.tif 000007